(57)【要約】【課題】  簡素な構造で、無段階の位置にオットマンの回動位置を選定することができるオットマン取付構造を提供する。【解決手段】  シートクション前下部に設けたブラケット１１と、ブラケットに取り付けたリンク機構１２と、ブラケットに固定されリンク機構を駆動するモータ１３とを備え、オットマンが、リンク機構を介してブラケットに連結され、モータがリンク機構を駆動して、オットマンを収納位置と足載せ位置の間の任意の位置に移動させ、モータを停止させるとオットマンが収納位置と足載せ位置の間の任意の位置で保持される。【選択図】  図１
2006218132.tif 000002
【特許請求の範囲】
【請求項１】
シートクッションの前側で、オットマンをシートクッションの前端部と接触する収納位置と略水平に立ち上げた足載せ位置との間で回動するようにシートに取り付けたオットマン取付構造において、
シートクション前下部に設けたブラケットと、
該ブラケットに取り付けたリンク機構と、
上記ブラケットに固定されていて該リンク機構に動きを与えるモータと、を備え、
上記オットマンが、上記リンク機構を介して上記ブラケットに連結されており、
上記モータが上記リンク機構を駆動して、上記オットマンを上記収納位置と上記足載せ位置の間の任意の位置に移動させ、オットマンの移動途中で該モータが停止すると該オットマンが上記収納位置と上記足載せ位置の間の任意の位置で保持されることを特徴とする、オットマン取付構造。
【請求項２】
前記リンク機構は、前記ブラケットに揺動可能に取り付けた第１リンク部材と、前記オットマンに揺動可能に取り付けた第２リンク部材と、から構成され、
上記第１リンク部材と上記第２リンク部材とが一点で連結されており、前記モータによる上記第１リンク部材の揺動動作により上記第２リンク部材が揺動し、前記オットマンが揺動することを特徴とする、請求項１に記載のオットマン取付構造。
【請求項３】
前記シートが、福祉車両のシートであることを特徴とする、請求項１又は２に記載のオットマン取付構造。
【請求項４】
前記シートが、向きをサイドドア側に回転させることができる回転機構付きのシートであることを特徴とする、請求項１〜３の何れかに記載のオットマン取付構造。
【発明の詳細な説明】
【技術分野】
【０００１】
本発明は、車両のシートに着座した乗員が足を伸ばした際に、その足を載せることができる足載せ台としてのオットマンをシートに取り付ける構造に関する。
【背景技術】
【０００２】
近年の車両には、乗員が足を伸ばした姿勢をサポートするために、シートクッションの前側に足載せ台としてのオットマンを取り付けたものが知られている。例えば、図２に示すシート１００では、オットマン５０がシートクッション６０の前側で、シートクッション６０の前端部と接触する収納位置Ａ（実線で表示）と、シートクッション６０の着座面と略平行になるように立ち上げた足載せ位置Ｂ（点線で表示）との間で回動するように、オットマン５０がシート１００に取り付けられている。
【０００３】
このようなシート１００によれば、足載せ位置Ｂに立ち上げて略水平にしたオットマン５０に、乗員の伸ばした足を載せることができるので、例えば、車両走行中に乗員は足を伸ばして、楽な姿勢でシート１００に着座することができる。
【０００４】
さらに、近年では、走行中における乗員の姿勢をサポートする他に、他の用途としてシートに取り付けたオットマンが利用に供されている。例えば、身体の不自由な人の車両への乗降を円滑にするために、サイドドア側へ回転して向きを変えることができるシートに、オットマンが取り付けられて利用に供されている。
【０００５】
このような福祉車両においては、身体の不自由な人が乗降する際に、シートクッション前側のオットマンが略水平に立ち上がった状態でサイドドア口から外側に突出して、車椅子とシートとの乗り移りを容易にするための補助部材、即ち、トランスファーボードとして利用することができる。
【０００６】
このようなオットマンは、以下のようにシートに取り付けられている。
ここで、図３は、従来のオットマン５０をシート１００に取り付ける構造を示す図であり、オットマン取付構造７０は、シートクッション６０のフレーム（図示省略）に取り付けた断面Ｌ字型のベースプレート７１と、ベースプレート７１の起立部７１Ａの左右の各フランジ７１Ａ１に取り付けたリンク機構７２，７２と、一対のリンク機構７２，７２を介してベースプレート７１に連結されたオットマンフレーム７７と、オットマンフレーム７７に支持されたオットマンパッド７３と、オットマンフレーム７７のフランジ７７Ａに取り付けたハンドル７４と、オットマンフレーム７７のフランジ７７Ａに取り付けられておりリンク機構７２をロックするロックプレート７５と、から構成されている。なお、左右の各リンク機構７２，７２は同期リンク棒７６を介して連結されている。
【０００７】
このようなオットマン取付構造７０においては、ハンドル７４を把持して持ち上げるとリンク機構７２，７２が伸展して、オットマン５０（７７，７３）がベースプレート７１から離れて立ち上がり、オットマン５０（７７，７３）が所望の高さに持ち上げられると、リンク機構７２，７２がロックプレート７５と係合して、オットマン５０（７７，７３）がその高さ位置に保持されることになる。このように足載せ位置Ｂの状態にオットマンを立ち上げることで、オットマンパッド７３の上に乗員の足を載せることができるようになる。
【０００８】
一方、オットマンパッド７３に足を載せることができる使用状態からオットマンパッド７３を下げる場合には、リンク機構７２とロックプレート７５との係合を解除することにより、リンク機構７２が折り畳まれて、オットマン５０（７７，７３）がベースプレート７１の起立部７１Ａ側に向けて回動することによって、オットマン５０（７７，７３）を収納位置Ａに移すことができる。
【０００９】
このように、シートクッション６０の前側で、シートクッション６０の前端部と接触する収納位置Ａと、シートクッションの着座面と略平行になるように立ち上げた足載せ位置Ｂとの間で回動するように、シートに取り付けられたオットマンが、下記の特許文献１、２に開示されている。
【特許文献１】特開２００３−２１２０２６号公報（段落〔００１７〕，〔００１８〕図１，３）
【特許文献２】特開平１１−２５３２７２号公報
【発明の開示】
【発明が解決しようとする課題】
【００１０】
しかしながら、図３に示すオットマン取付構造７０により、福祉車両にオットマン５０をシート１００に取り付けている場合、オットマン５０の回動動作を介護者が手動で操作して、オットマン５０を略水平に持ち上げる必要があり、その操作時に、乗員、即ちシート１００に着座した身体の不自由な人の足の間に手を入れたり、或いは操作するためにシート１００に着座した身体の不自由な人に姿勢を変えさせなければ、ハンドル操作を行うことができなかった。
【００１１】
また、図３に示すオットマン取付構造７０を採用したシート１００や、特許文献１に開示のシートにおいては、オットマンを収納位置Ａと足載せ位置Ｂとの何れかに切り替えることができるものであり、収納位置Ａと足載せ位置Ｂとの２位置間の任意の位置でオットマンを止めて、使用に供することはできなかった。
【００１２】
さらに、特許文献２には、オットマンを電動で回転させ、収納位置Ａと足載せ位置Ｂとの２位置間の任意の位置で止めてオットマンを使用できるオットマンの取付構造が開示されているが、オットマンを任意の位置で停止させるための構造自体複雑で、部品を多く必要とし、製造コストも嵩むものである。
【００１３】
そこで、本発明は、このような事情を鑑みて創作されたものであり、簡素な構造で、無段階の位置に、即ち任意の位置にオットマンの回動位置を選定することができる、オットマン取付構造を提供することを目的とする。
【課題を解決するための手段】
【００１４】
上記目的を達成するために、本発明は、シートクッションの前側で、オットマンをシートクッションの前端部と接触する収納位置と略水平に立ち上げた足載せ位置との間で回動するようにシートに取り付けたオットマン取付構造において、シートクション前下部に設けたブラケットと、このブラケットに取り付けたリンク機構と、ブラケットに固定されていてリンク機構に動きを与えるモータと、を備え、オットマンが、リンク機構を介してブラケットに連結されており、モータがリンク機構を駆動して、オットマンを収納位置と足載せ位置の間の任意の位置に移動させ、オットマンの移動途中でモータが停止するとオットマンが収納位置と足載せ位置の間の任意の位置で保持されることを特徴としている。
【００１５】
さらに、本発明のオットマン取付構造においては、前記リンク機構は、ブラケットに揺動可能に取り付けた第１リンク部材と、オットマンに揺動可能に取り付けた第２リンク部材と、から構成され、第１リンク部材と第２リンク部材とが一点で連結されており、モータによる第１リンク部材の揺動動作により第２リンク部材が揺動し、オットマンが揺動することを特徴としている。
【００１６】
さらに、本発明のオットマン取付構造においては、シートが福祉車両のシートであってよく、さらに、シートとして、向きをサイドドア側に回転させることができる回転機構付きのシートにも採用することができる。
【発明の効果】
【００１７】
このように、本発明のオットマン取付構造によれば、オットマンを無段階で任意の位置に保持することができるので、身体の不自由な方々の個々の楽な姿勢に応じて、オットマンの角度調整を行うことができる。
【００１８】
また、本発明のオットマン取付構造は、シートクッション前下部にブラケットを取り付け、そのブラケットにリンク機構を駆動するモータを固定する構造であるので、特許文献２の取付構造に比して、構造が簡素であり、さらに、特許文献２の取付構造においては、シートクションの下側に複数の部材を利用してオットマンを動作させることとしているので、オットマンを取り付けていないシートに後付けすることが容易ではないが、本発明のオットマン取付構造は、シートクッションの前下部にブラケットを配置し、そのブラケットをベースとしてリンク機構，オットマン，モータを取り付けるだけであるから、後付けが容易であり、その作業も煩雑ではない。
【発明を実施するための最良の形態】
【００１９】
以下、図面に基づいて本発明の実施形態を説明する。なお、背景技術と実質的に同一または対応する部材には同一符号を用いている。
図１は、本発明の実施形態に係るオットマン取付構造１の要部を示す分解図である。オットマン取付構造１は、シートクッション６０の前下部の左右にそれぞれ設けたブラケット１１と、ブラケット１１に揺動可能に取り付けたリンク機構１２と、リンク機構１２を介してブラケット１１に連結したオットマンフレーム７７と、オットマンフレーム７７に支持されたオットマンパッド７３と、ブラケット１１に固定されていて、リンク機構１２に回転力を与えるモータ１３と、を備えている。
【００２０】
なお、図１はオットマン取付構造１のシート左側の構造を示しているが、シート右側においても、ブラケット１１とリンク機構１２とが設けられている。
【００２１】
ブラケット１１は、例えば、シートのシートクッション６０を支持するシートクッションフレームの前部に固定されている。
【００２２】
リンク機構１２は、ブラケット１１に揺動可能に取り付けた第１リンク部材１２Ａと、オットマンフレーム７７に揺動可能に取り付けた第２リンク部材１２Ｂと、から構成されている。なお、第１リンク部材１２Ａと第２リンク部材１２Ｂとは、一点で連結されており、第１リンク部材１２Ａの回転動作により、第２リンク部材１２Ｂも回転するようになっている。
【００２３】
第１リンク部材１２Ａは、例えば、図示例の如く、一端がモータ１３の回転軸１３Ａに連結した第１直線状部材１２Ａ１と、一端が第１直線状部材１２Ａ１の他端に連結した第２直線状部材１２Ａ２と、一端が第２直線状部材１２Ａ２の他端に連結し、他端がブラケット１１に枢支された第３直線状部材１２Ａ３と、から構成されている。
【００２４】
なお、第１リンク部材１２Ａの第１〜第３直線状部材１２Ａ１〜１２Ａ３は、相互の連結箇所が、互いに回転できるように枢支されており、例えば、モータ１３の回転により、第１直線状部材１２Ａ１が時計右回りに回転すると、その回転力が第２直線状部材１２Ａ２を介して第３直線状部材１２Ａ３に伝わり、第３直線状部材１２Ａ３も、時計右回りに回転するようになっている。
【００２５】
第２リンク部材１２Ｂも、第１リンク部材１２Ａと同様に、３つの直線状部材により構成されていて、例えば、図示例の如く、一端がオットマンフレーム７７に枢支された第１直線状部材１２Ｂ１と、一端が第１直線状部材１２Ｂ１の他端に連結した第２直線状部材１２Ｂ２と、一端が第２直線状部材１２Ｂ２の他端に連結し、他端がオットマンフレーム７７に枢支された第３直線状部材１２Ｂ３と、から構成されている。なお、第２リンク部材１２Ｂの第１〜第３直線状部材１２Ｂ１〜１２Ｂ３は、相互の連結箇所が、互いに回転できるように、枢支されている。
【００２６】
さらに、第２リンク部材１２Ｂにおける第１直線状部材１２Ｂ１と第２直線状部材１２Ｂ２の連結と、第１リンク部材１２Ａにおける第１直線状部材１２Ａ１と第２直線状部材１２Ａ２との連結とは、一つの共通の回転軸１２Ｃにより支持されている。
【００２７】
この回転軸１２Ｃにより、第１リンク部材１２Ａの第１直線状部材１２Ａ１がモータ１３により揺動すると、その力が回転軸１２Ｃを介して第２リンク部材１２Ｂに伝達される。具体的には、第１リンク部材１２Ａの第１直線状部材１２Ａ１の先端と第２リンク部材１２Ｂの第１直線状部材１２Ｂ１の先端とが共通の回転軸１２Ｃにより連結されているので、第２リンク部材１２Ｂの第１直線状部材１２Ｂ１は、第１リンク部材１２Ａの第１直線状部材１２Ａ１が回転する方向に回転する。このような第２リンク部材１２Ｂの第１直線状部材１２Ｂ１の回転動作に連動して、例えば、第１直線状部材１２Ｂ１が時計右回りに回転すると、その回転力が第２直線状部材１２Ｂ２を介して第３直線状部材１２Ｂ３に伝わり、第３直線状部材１２Ｂ３も時計右回りに回転するようになっている。
【００２８】
このような構成により、第１リンク部材１２Ａと第２リンク部材１２Ｂとが揺動して、リンク機構１２は伸展したり縮んだりするようになっている。
【００２９】
このような伸展等の動作をリンク機構１２に与えるために、ブラケット１１にモータ１３が設けられている。
【００３０】
モータ１３にはその回転軸１３Ａにギア１３Ｂが取り付けられており、モータ１３は、ギア１３Ｂを介してリンク機構１２、即ち第１リンク部材１２Ａの第１直線状部材１２Ａ１に連結されている。なお、ギア１３Ｂは第１リンク部材１２Ａの第１直線状部材１２Ａ１の回転の基点に溶接などにより固定して取り付けられている。
【００３１】
そして、モータ１３が回転すると、その回転がそのまま第１直線状部材１２Ａ１に伝達され、第１直線状部材１２Ａ１は、モータ１３の回転に連動して揺動する。
【００３２】
なお、本発明の実施形態に係るオットマン取付構造１におけるモータ１３は、パワーシートモータやウィンドウレギュレータモータのように、電圧が加わらないと回転しない電動モータである。
【００３３】
このような電動モータに電圧を供給するように、モータ１３は電源装置（図示省略）とワイヤーハーネス（図示省略）を介して接続されている。
さらに、モータ１３に正回転或いは逆回転を行わせるスイッチ１４が、オットマンフレーム７７のフランジ７７Ａの側面に装着されている。スイッチ操作により、例えば、モータ１３を正回転させるとリンク機構１２が伸展し、モータ１３を逆回転させるとリンク機構１２が縮むようになっている。
【００３４】
本発明の実施形態に係るオットマン取付構造１は以上のように構成されており、次にその動作を説明する。
【００３５】
図３に示すように、オットマンフレーム７７が収納位置Ａ、即ち、シートクション６０の前端と平行になるように垂直になっている収納位置Ａから、使用状態に変更する場合は、スイッチ操作によりモータ１３を正回転させて、リンク機構１２を伸展させる。これにより、オットマンフレーム７７がリンク機構１２により持ち上げられる。
【００３６】
オットマンフレーム７７が持ち上げられる過程で、スイッチ１４によるモータ１３の駆動制御を中断すると、モータ１３はその回転角度で停止する。その際、オットマンフレーム７７は、所望の傾斜角度の姿勢を維持されるように、保持される。
【００３７】
このように、本発明の実施形態に係るオットマン取付構造１によれば、モータ１３の駆動に連動して、オットマンフレーム７７を持ち上げたり、下げたりすることができ、オットマンが略水平に延びた足載せ位置Ｂ（図２参照）とシートクションの前端面に当接する収納位置Ａ（図２参照）との間の任意の位置でオットマンを保持することができる。
【００３８】
よって、オットマン取付構造１によれば、オットマンを無段階で任意の位置に保持することができるので、身体の不自由な人の個々の楽な姿勢に応じて、オットマンの角度調整を行うことができる。
【００３９】
また、本発明の実施形態に係るオットマン取付構造１は、シートクッション前下部にブラケット１１を取り付け、そのブラケット１１にリンク機構１２を駆動するモータ１３を固定する構造であるので、特許文献２の取付構造に比して、構造が簡素であり、さらに、特許文献２の従来の取付構造では、シートクションの下側に複数の部材を利用してオットマンを動作させることにしているので、オットマンを取り付けていないシートに後付けすることが容易ではないが、本発明の実施形態に係るオットマン取付構造１は、シートクッションの前下部にブラケット１１を配置し、そのブラケット１１をベースとしてリンク機構１２，オットマンフレーム７７，オットマンパッド７３，モータ１３を取り付けるだけであるから、後付けが容易であり、その作業も煩雑ではない。
【００４０】
以上説明したが、本発明は、発明の趣旨を逸脱しない範囲において様々な形態で実施できる。例えば、オットマン５０は、オットマンフレーム７７とオットマンパッド７３で構成される場合に限らず、リンク機構１２により立ち上げたり下ろしたりすることができて、足を載せることができるものであれば、その構造や形状が限定されるものではないことは勿論である。
【００４１】
また、上記では、リンク機構１２が第１リンク部材１２Ａと第２リンク部材１２Ｂとで構成される例を示したが、リンク機構はこのように分割構成されるものに限定されるものではなく、また各第１，第２リンク部材１２Ａ，１２Ｂも直線状部材１２Ａ１〜１２Ａ３，１２Ｂ１〜１２Ｂ３により構成される場合に限らず、湾曲して延びた形状であってもよく、本発明に利用できるリンク機構は、モータ１３の回転に連動して、オットマンを上げ下げすることができるものであればよい。
【００４２】
さらに、本発明のオットマン取付構造は、通常の車両の前後方向にスライド可能なシートにオットマンを取り付ける場合に採用することができる他、シートを回転させて向きをサイドドア側に回転させることができる回転機構付きのシート、例えば福祉車両に搭載されているような回転機構付きのシートに取り付ける場合にも適用することができる。
【００４３】
また、上記のオットマン取付構造において、左側と右側に配置される各リンク機構１２は、従来例の構造と同様に、リンク棒７６を介して同期をとるように構成されていてもよい。
【００４４】
また、上記説明では、ブラケット１１がシートクションの前下部において、車幅方向に並んで一対設けられる場合を例示したが、各ブラケットが中間のプレートにより連結されて一体に形成されていてもよい。
【図面の簡単な説明】
【００４５】
【図１】本発明の実施形態に係るオットマン取付構造の要部分解斜視図である。
【図２】従来のオットマンを取り付けたシートを示す側面図である。
【図３】従来のオットマン取付構造を示す分解斜視図である。
【符号の説明】
【００４６】
１  オットマン取付構造
１１  ブラケット
１２  リンク機構
１２Ａ  第１リンク部材
１２Ａ１，１２Ｂ１  第１直線状部材
１２Ａ２，１２Ｂ２  第２直線状部材
１２Ａ３，１２Ｂ３  第３直線状部材
１２Ｂ  第２リンク部材
１２Ｃ  回転軸
１３  モータ
１３Ａ  回転軸
１３Ｂ  ギア
１４  スイッチ
７３  オットマンパッド
７６  リンク棒
７７  オットマンフレーム
Ａ  収納位置
Ｂ  足載せ位置
【図１】
2006218132.tif 000003
【図２】
2006218132.tif 000004
【図３】
2006218132.tif 000005